(57)【要約】  壁（３）に取付け可能であり、好ましくは建物の任意種類の部屋壁又は天井若しくは床に取付け可能な電気デバイス（２）に接触する壁紙（１）であって、前記壁紙（１）が、複数本の導電性ストライプ（４）を有し、前記電気デバイス（２）が、前記導電性ストライプ（４）に接触するために接触ピン（５）を備える、壁紙において、前記導電性ストライプ（４）は、或る特定のストライプピッチ（６）を備え、前記接触ピン（５）は、或る特定のピンピッチ（７）を備え、互いに異なる前記導電性ストライプ（４）は、前記電気デバイス（２）を互いに異なる位置に配置することにより上述の或る特定のピッチ（６，７）に基づく導電性ストライプ（４）の接触に起因して生じる接触ピン（５）の接触電圧に整合するために互いに異なる電圧を有する、壁紙（１）。
2009536273.tif 000002
【特許請求の範囲】
【請求項１】
壁（３）に取付け可能であり、好ましくは建物の任意種類の部屋壁又は天井若しくは床に取付け可能な電気デバイス（２）に接触する壁紙（１）であって、前記壁紙（１）が、複数本の導電性ストライプ（４）を有し、前記電気デバイス（２）が、前記導電性ストライプ（４）に接触するために接触ピン（５）を備える、壁紙において、前記導電性ストライプ（４）は、或る特定のストライプピッチ（６）を備え、前記接触ピン（５）は、或る特定のピンピッチ（７）を備え、互いに異なる前記導電性ストライプ（４）は、前記電気デバイス（２）を互いに異なる位置に配置することにより上述の或る特定のピッチ（６，７）に基づく導電性ストライプ（４）の接触に起因して生じる接触ピン（５）の接触電圧に整合するために互いに異なる電圧を有する、壁紙（１）。
【請求項２】
前記導電性ストライプ（４）は、前記導電性ストライプ（４）の電気的絶縁をもたらすために前記壁（３）と前記壁紙（１）との間にサンドイッチされている、請求項１記載の壁紙（１）。
【請求項３】
前記導電性ストライプ（４）は、或る特定のステップから選択された電圧レベルを有する、請求項１又は２記載の壁紙（１）。
【請求項４】
前記導電性ストライプ（４）の前記電圧レベルは、１Ｖ〜１２Ｖ、好ましくは２Ｖ〜６Ｖ、最も好ましくは３Ｖの電圧ステップを有する、請求項３記載の壁紙（１）。
【請求項５】
前記壁紙（１）の前記導電性ストライプ（４）の材料は、銅材料、アルミニウム、銀、金、又は鋼材料を含む金属導電性材料の群から選択されている、請求項１〜４のうちいずれか一に記載の壁紙（１）。
【請求項６】
前記導電性ストライプ（４）は、前記壁（３）と前記壁紙（１）との間にサンドイッチされ、前記壁（３）への前記導電性ストライプ（４）の接合及び（又は）前記導電性ストライプ（４）への前記壁紙（１）の接合は、接着によって行われる、請求項１〜５のうちいずれか一の記載の壁紙（１）。
【請求項７】
壁（３）に取付け可能な電気デバイス（２）であって、壁紙（１）が、前記壁（３）上に配置され、前記壁紙（１）が、互いに平行な配置状態で設けられていて、或る特定のストライプピッチ（６）を備えた複数本の導電性ストライプ（４）を有し、前記電気デバイス（２）が、前記導電性ストライプ（４）に接触する少なくとも２本の接触ピン（５）を有する、電気デバイスにおいて、前記電気デバイス（２）の前記ピン（５）は、或る特定のピンピッチ（７）を備え、互いに異なる前記導電性ストライプ（４）は、前記電気デバイス（２）を互いに異なる位置に配置することにより上述の或る特定のピッチ（６，７）に基づく導電性ストライプ（４）の接触に起因して生じる接触ピン（５）の接触電圧に整合するために互いに異なる電圧を有する、電気デバイス（２）。
【請求項８】
前記電気デバイス（２）は、有機発光ダイオード（ＯＬＥＤ）から成り、前記ＯＬＥＤは、前記ＯＬＥＤが利用されている建物の対応の部屋のマーカ及び（又は）イルミネータとして使用できる、請求項７記載の電気デバイス（２）。
【請求項９】
前記接触ピン（５）は、前記電気デバイス（２）の一方の面上に配置され、前記接触ピン（５）を備えた前記面は、前記壁（３）及び（又は）前記壁紙（１）に衝合する、請求項７又は８記載の電気デバイス（２）。
【請求項１０】
前記電気デバイス（２）は、前記壁（３）及び（又は）前記壁紙（１）にくっつき可能であるようにするために両面接着フォームを有する、請求項７〜９のうちいずれか一の記載の電気デバイス（２）。
【請求項１１】
前記接触ピン（５）は、前記電気デバイス（２）を前記壁（３）に取り付けることによって前記導電性ストライプ（４）を穿通するために尖った針状のピンとして構成されている、請求項７〜１０のうちいずれか一の記載の電気デバイス（２）。
【請求項１２】
前記接触ピンは、前記導電性ストライプ（４）の表面に押し付けられるようにするためにばね押しされている、請求項７〜１１のうちいずれか一の記載の電気デバイス（２）。
【請求項１３】
請求項１〜１２のうちいずれか一の記載の壁紙（１）及び電気デバイス（２）を有する電気接触システム（８）であって、前記壁紙（１）は、導電性ストライプ（４）を有し、前記電気デバイス（２）は、少なくとも２本の接触ピン（５）を有し、前記接触ピン（５）は、前記導電性ストライプ（４）中の電流によって前記電気デバイス（２）に電力を供給するために前記導電性ストライプ（４）に接触するよう配置されている、電気接触システム（８）。
【発明の詳細な説明】
【技術分野】
【０００１】
本発明は、壁に取付け可能であり、好ましくは建物の任意種類の部屋壁又は天井若しくは床に取付け可能な電気デバイスに接触する壁紙であって、壁紙が、複数本の導電性ストライプを有し、電気デバイスが、導電性ストライプに接触するために接触ピンを備えている壁紙に関する。
【背景技術】
【０００２】
部屋を明るくしたり部屋を照明したりするために壁に取り付けられる電気デバイスへの接触を行うために又はランプ、マーカ又は信号装置として使用される電気デバイスへの接触を行うために、通常、従来型配線によって接触が行われている。配線は、壁紙の下又は壁材料の内側に形成された凹部の内側に配置される。残念なことに、壁上での電気デバイスの位置を変えることはできない。というのは、配線の位置の変更には、多大な労力が必要だからである。特に、現代の部屋では、フレキシブル方式の照明が望ましく、このことは、従来型ランプ又はＬＥＤ若しくはＯＬＥＤのような半導体デバイスとして具体化できる電気デバイスを単一の壁の内部で又は天井と壁との間で変位させることができるということを意味している。電気デバイスがマーカ又は信号装置として具体化される場合、フレキシブル照明と同様、マーカをＯＬＥＤを利用した照明パネルとして具体化することが望ましい。
【０００３】
壁紙の下に配置された複数本の導電性ストライプを利用し、目に見えず、接触ピンを有する電気デバイスを壁にくっつけることにより接触可能な種々の電気接触システムが既に存在し、かかる電気接触システムでは、導電性ストライプへの接触のために壁紙を貫通して導電性ストライプ中への穿通が行われる。ストライプは、電気デバイスの容易な接触を行うために壁の表面上に平行な配列状態で設けられる。
【０００４】
仏国特許第２４９６３５０号明細書は、電気又は電子デバイスの長さ全体にわたり目に見える仕方で又は目に見えない仕方で瞬間的な接続を可能にする導体のシースを開示しており、このシースは、プラグが導入される通路を構成する導電性要素をサンドイッチしたＰＶＣ又は他の適当な材料の２枚のシートで構成されている。シースは、結合、接着剤の塗布又は他の固定器具によって間仕切りに固定できる。かくして、電気デバイスを任意の構造体中の任意の支持体上に実装することが可能である。シースにより、ユーザへの電気ショックを回避するための保護手段が得られる。導電性ストライプは、互いに或る特定の距離を置いて配置され、電気デバイスのプラグに接触するブレードは、導電性ストライプと同じ離隔距離を有している。かくして、壁内の任意の場所に取り付けることができるプラグのブレードに接触することが可能である。
【０００５】
国際公開第９９／２８９１７号パンフレットは、表面取付け型の多目的フレキシブルワイヤを開示しており、このワイヤは、全体として互いに平行な関係をなして間隔を置いて設けられた複数本の平べったくて細長い導電性ストライプから成り、これら複数本の平べったい導体の各々は、複数のアルミニウム層から成り、かかる導体は、高電圧及び低電圧並びに電流を運ぶ能力を有し、絶縁層が、これら複数本の平べったい導体を包囲すると共にこれらを分離しており、平べったい導体及び絶縁層の断面高さは、０．０４インチ（１．０１６ｍｍ）未満である。
【発明の開示】
【発明が解決しようとする課題】
【０００６】
別の電気接触システムが、米国特許第６，１３２，８５９号明細書に開示されている。このシステムは、導電性コアがフォーム絶縁材料の層、特にポリウレタンの層相互間に介在して設けられていて、コアへの集電のために少なくとも１本のピンを備えていて、電流源に接続されたこれらコアによって電気エネルギーが供給される要素、特にランプを支持するサンドイッチパネルに関連しており、絶縁フォーム材料は、少なくともフォーム中に挿入された要素のピンのうちの１本により加えられる最大圧力に等しい弾性しきい値を有している。この電気接触システムでは、電圧を運ぶ層は、互いに上下に配置され、互いに異なる層に接触するピンの構成は、かかるピンがオーディオシステムのステレオジャグに類似しているので、非常に複雑である。別の欠点は、層が平坦且つ層状に配置され、それにより、同一の電圧が表面全体に加わることにある。
【０００７】
ピンによる穿通を利用した別の電気デバイスが、米国特許第４，８８８，２３２号明細書に記載されている。この特許文献では、好ましくはディスプレイ目的で穿通コネクタを備えた低電圧電気機器に用いられる導電性層ボードが開示されており、この導電性層ボードは、電気的絶縁層に被着された少なくとも１枚の第１の薄い金属、好ましくはアルミニウムの箔を有し、電気的絶縁層は、金属箔を通ってコネクタを電気的絶縁層中に押し込んでこれにより保持されると、金属箔を変形させて折り曲げ、これを電気的絶縁層中に入り込むことができるほど柔軟性のあるプラスチック材料を含み、かくして、コネクタと金属箔との間に広い接触面が保証される。導電性層を接続する原理は、発光ダイオードと関連している場合のあるピンの特定の設計を利用している。ピンは、互いに対して軸方向に配置されると共に絶縁層又はその一部によって互いに分離された第１の電気的接触ループと第２の電気的接触ループを有している。かくして、この原理には、層の表面全体にわたって電圧高さが同じになるという同一の欠点がある。互いに異なる電圧高さは、ピンを突き刺すことができる互いに異なる深さによってのみ達成できる。したがって、電気デバイスが層を被着させた壁を横切って互いに異なる位置に配置されている状態で、互いに異なる電圧を電気デバイスに与えることは、可能ではない。
【課題を解決するための手段】
【０００８】
本発明は、上述の欠点を解決することを目的としている。具体的に言えば、本発明の目的は、電気デバイスが１つの壁の中に互いに異なる位置で取り付けられている状態で、互いに異なる電圧高さを与えることができる電気デバイスに接触する壁紙を提供することにある。この目的は、請求項１記載の本発明の壁紙によって達成される。本発明の好ましい実施形態は、従属形式の請求項に記載されている。また、この目的は、請求項７記載の電気デバイスによって達成される。本発明の電気デバイスの有利な実施形態は、従属形式の請求項に記載されている。
【０００９】
本発明は、壁紙が、或る特定のストライプピッチを備えた導電性ストライプ及び或る特定のピンピッチを備えた接触ピンを有し、互いに異なる導電性ストライプが、電気デバイスを互いに異なる位置に配置することにより上述の或る特定のピッチに基づく導電性ストライプの接触に起因して生じる接触ピンの接触電圧に整合するために互いに異なる電圧を有することを開示する。
【００１０】
ストライプ及びピンを或る特定のピッチで配置することにより、２本のピンが常時２つの互いに異なるストライプに接触し、短絡が回避される仕方で整合を行うことができる。電気デバイスが第１の位置に配置されている場合、２本のピンは、或る特定のストライプに接触することができ、各ストライプは、或る特定の電圧高さを有する。電気デバイスをストライプのピッチに対応した距離に関する次の位置に動かすと、別の電圧高さを電気デバイスに提供することができる。かくして、電気デバイスを再位置決めしさえすれば、印加される電圧高さを変化させることが可能であり、かかる再位置決めは、段階的に起こるのが良い。電気デバイスの種類に応じて、放出される色、輝度又は発光強度のような作用効果又は他の作用効果を達成することができる。
【００１１】
本発明の別の実施形態によれば、導電性ストライプは、導電性ストライプの電気的絶縁をもたらすために壁と壁紙との間にサンドイッチされている。壁紙は、導電性ストライプを覆うことができる通常の壁紙又は任意種類のタペストリであって良く、例えば建物のリビングルーム内の壁である場合がある壁の外観は、一般に知られているように見えるが、接触システムは、目に見えない。かくして、ストライプは壁紙の後ろに目に見えないように配置され、ストライプも見えないようになっていて、ユーザはこれに触ることができない。それにより、壁紙は、電気ショックに対する絶縁機能を有する。電気デバイスを壁にくっつけた場合、ピンは、それぞれ壁紙及び導電性ストライプまで延び、このことは、ピンが壁紙を貫通する長さを備えているということを意味する。
【００１２】
本発明の別の実施形態では、互いに隣接して配置された導電性ストライプは、或る特定のステップから選択された電圧レベルを有する。導電性ストライプの電圧レベルは、ストライプごとに３Ｖの段階を有するのが良く、ストライプは、０Ｖ、３Ｖ、６Ｖ、９Ｖ又は１０Ｖをこの連続した順序で有するのが良い。電圧高さに関し、小さな又は大きな増分を有し、１２Ｖよりも高い電圧高さを有する種々の電圧が実現可能である。これら電圧ステップによれば、壁紙内の５つの互いに異なる回路が利用され、互いに異なる電圧を有するストライプは、隣り合って配置され、電圧高さは、５段階で繰り返される。ＯＬＥＤデバイスのような電気デバイスが壁にくっつけられる場合、電気接触のためのピンは、不変のピッチを有する。電気デバイスがくっつけられた場合、ピッチは、３本のストライプの距離にわたってオーバーラップする距離から成るのが良い。所要の供給電圧は６Ｖであり、２本の隣り合うストライプ相互間の電圧差が３Ｖの場合、ピンピッチの距離は、２つ分のストライプピッチから成るのが良い。各隣接のストライプが３ボルトの電圧差を有する場合、ストライプの２つ分のピッチにより、６ボルトが得られ、これは、ＯＬＥＤデバイスの所要の供給電圧に整合することができる。例えば、電気デバイスが２本のピンを有し、第１のピンが９Ｖの導電性ストライプの接触し、第２のピンが３Ｖの導電性ストライプに接触する場合、結果として得られるＯＬＥＤデバイスへの供給電圧は、９Ｖ−３Ｖ＝６Ｖである。或いは、第１のピンが６Ｖに接触し、第２のピンが０Ｖに接触する場合、これ又結果として生じるクロス電圧により、６Ｖが得られる。或る特定の電圧距離のこのブリッジ原理は、０Ｖ、３Ｖ、６Ｖ、９Ｖ、１２Ｖ又は互いに異なる電圧を有する各導電性ストライプ相互間に利用できる。
【００１３】
通常、複数枚の壁紙が壁にくっつけられ、かかる壁紙は、或る特定の幅を備えたレーンから成り、互いに隣接して配置される。電気デバイスと或る特定のストライプピッチの互いに異なる壁紙レーンの或る特定の接触を実現するためには、互いに異なる壁紙レーンのストライプの貫通接触又は隣り合う導電性ストライプの電圧レベルの規定された制御を行うことが必要な場合がある。これは、少なくとも１つの壁全体の電圧供給が得られるよう利用される中央電圧制御ユニットによって実施できる。
【００１４】
導電性ストライプの材料に関し、材料は、銅材料、アルミニウム、銀、金又は鋼材料を含む金属導電性材料の群から選択される。これら材料特性は、電力の損失を最小限に抑えるために高い導電率を示す。広い壁の中では、導電性ストライプは、長い長さを示し、外部電気供給源の電気供給は、一点でのみ、好ましくは、ストライプへの電気供給手段が目に見えない壁の床側縁部又は任意他の縁部のところでのみ起こる。
【００１５】
本発明の別の実施形態によれば、壁への導電性ストライプの接合及び（又は）導電性ストライプへの壁紙の接合は、接着によって行われる。第１の考えられる手段は、ストライプを壁上に接着し、次に、壁紙をストライプ上に接着することである。別の考えられる手段は、導電性ストライプが既に組み込まれた壁紙を作製することであり、このことは、壁紙がストライプを既に有し、壁に接着されればそれで足りるということを意味している。
【００１６】
さらに、本発明は、壁に取付け可能な電気デバイスであって、壁紙が、壁上に配置され、壁紙が、互いに平行な配置状態で設けられていて、或る特定のストライプピッチを備えた複数本の導電性ストライプを有し、電気デバイスが、導電性ストライプに接触する少なくとも２本の接触ピンを有する、電気デバイスにおいて、電気デバイスのピンは、或る特定のピンピッチを備え、互いに異なる導電性ストライプは、電気デバイスを互いに異なる位置に配置することにより上述の或る特定のピッチに基づく導電性ストライプの接触に起因して生じる接触ピンの接触電圧に整合するために互いに異なる電圧を有することを特徴とする電気デバイスに関する。
【００１７】
好ましくは、電気デバイスは、有機発光ダイオード（ＯＬＥＤ）から成り、ＯＬＥＤは、ＯＬＥＤが利用されている建物の対応の部屋のマーカ及び（又は）イルミネータとして使用できる。有機発光ダイオード（ＯＬＥＤ）は、発光層が有機化合物である種類の発光ダイオードとして実現される薄膜を有する。ＯＬＥＤ技術は、実用的なディスプレイ装置として実施可能である。かくして、部屋の壁上にＯＬＥＤディスプレイを用いることが可能であり、ディスプレイの位置を変えることができる。ＯＬＥＤエミッタの厚さは、極めて小さく（１ｍｍ未満）、ＯＬＥＤそれ自体は、フレーム状本体内に受け入れられ、電気的接触のためのピンは、フレーム状本体内に配置される。ＯＬＥＤデバイスは、薄い箔として実現され、これら薄い箔は、可撓性が極めて高く、５×５ｃｍ又は１２×１２ｃｍ以上のサイズを有するのが良い。互いに異なるサイズのＯＬＥＤは、互いに異なる電圧供給を必要とし、このことは、ＯＬＥＤにＯＬＥＤデバイスのサイズとは独立して正確な電圧を供給するようにするために、必要とされる供給電圧を或る特定のピンピッチにより整合させることができるということを意味している。
【００１８】
互いに異なる電気デバイスに本発明の電気接触システムによって電力供給することができ、電気デバイスとしては、ＬＥＤ、ＯＬＥＤ、エレクトロルミネッセンスパネル、ランプ、壁時計、温度計、マルチメディアシステム、ビデオプロジェクタ、テレビジョンシステム、例えば建物用暖房施設のための制御ユニット、データネットワークのシステム等が挙げられる。第１の場合、最大電圧レベルは、制限されず、ユーザに関する電気ショックの恐れという技術背景に対しては、最大電圧レベルは、有利には約５０…６０Ｖによって制限される。電流は、直流（ＤＣ）であっても良く、交流（ＡＣ）であっても良く、或いは、電気システムには、パルス化され、切り替えられ、或いは任意の異なる仕方で変調される電気信号が供給される。
【００１９】
本発明の別の実施形態によれば、接触ピンは、電気デバイスの一方の面上に配置され、接触ピンを備えた面は、壁及び（又は）壁紙にそれぞれ衝合する。有利には、ピンは、通常の電気的接続のための少なくとも２本のピンから成り、ピンは、水平に配置されても良く、垂直に配置されても良く、ピンは又、互いに対して任意の種々の角度をなして配置されても良い。好ましくは、電気デバイスは、水平又は垂直方向にくっつけられるが、ピンが対角線をなして配置されている場合、傾斜位置でも可能である。ピンは、電気デバイスの機能性を守るために本来的に安定したシャーシを提供するフレーム状本体に受け入れられ又はこれに取り付けられるのが良い。
【００２０】
有利には、電気デバイスは、壁及び（又は）壁紙にそれぞれくっつき可能であるようにするために両面接着フォームを有する。両面接着フォームをフォームそれ自体として、或いは、接着テープ、粘着テープ又はグルーのような化合物として提供できる。粘着原理は、電気デバイスを壁に取付け状態に保つと共にピンと導電性ストライプの確実な接触を保証するのに足るほど厳格でなければならない。変形例として、釘又はねじによる締結に係る機械的連結原理を利用しても良い。接着剤が用いられない場合、電気デバイスの機械的締結を行うのに、ピンを押しピンのように壁紙及び導電性ストライプにそれぞれ突き刺すことが可能である。
【００２１】
本発明の別の実施形態によれば、接触ピンは、電気デバイスを壁に取り付けることによって導電性ストライプを穿通するために尖った針状のピンとして構成されている。ピンの先端を尖らせることにより、ピン及びかくして電気デバイスを壁に容易にくっつけることができ、ピンは、釘の機能を果たす。穿通効果は、ピンの尖った先端によって得られ、このことは、ピンを壁紙及び特に金属製導電性ストライプに打ち込むのに必要な押圧力が小さいことを意味する。好ましくは、金属製導電性ストライプは、滑らか且つ穏やかな変形挙動を示すと共に小さな厚さを備え、それにより、ストライプの可撓性が高くなり、ピンは、ストライプ中にめり込み又は押し込み可能である。確実な電気的接触を保証するためには、ピンは、ストライプを貫通すべきであり、ストライプの表面への突き刺しは、十分であるが、必ずしも有効ではない。ピンが溝付きの場合、かかるピンは、締結効果を達成することができ、このことは、別の締結手段が不要であり、電気デバイスがピンをストライプ中に押し込むだけで壁に締結されることを意味する。
【００２２】
尖った針状のピンの変形例として、接触ピンは、導電性ストライプの表面に押し付けられるようにするためにばね押しされている。ピンを導電性ストライプに押し付けるためにピンに加えられる押圧力は、ばねの中に蓄えられる。というのは、ばねは、電気デバイスを壁にくっつけ、かくして、ピンをばねに押し付けることにより圧縮可能だからである。これにより、導電性ストライプの確実な接触が保証される一方で、壁紙又はタペストリがピンにより既に切り裂かれてピンとストライプとの間における壁紙の絶縁効果が回避されることが保証されなければならない。この接触原理によれば、電気デバイスは、ピンを押し込むだけでは壁に固定されない場合があり、このことは、追加の締結手段が必要であることを意味する。この原理の利点は、導電性ストライプが腐食効果を示す場合に、確実な接触が得られるということにあり、ばね力は、ピンを連続的にストライプの表面に押し付ける。
【００２３】
また、本発明は、壁紙が、導電性ストライプを有し、電気デバイスが、少なくとも２本の接触ピンを有し、接触ピンが、導電性ストライプ中の電流によって電気デバイスに電力を供給するために導電性ストライプに接触するよう配置されている請求項１３記載の電気接触システムに関する。
【００２４】
本発明の目的物の追加の細部、特徴及び利点は、従属形式の請求項に記載されており、例示的に記載されているそれぞれの図についての後で行う説明は、添付の図面を参照して説明する本発明の好ましい実施形態を示している。
【発明を実施するための最良の形態】
【００２５】
図１に示す電気接触システム８は、電気デバイス２を有し、この電気デバイスは、単純化されて長方形のボックスとして示されている。電気デバイス２は、頂部層上に位置決めされ、壁３は、底部層のところに配置されている。電気デバイス２と壁３との間には、導電性ストライプ４が配置されている。導電性ストライプ４は、長さ方向に互いに平行に配置され、これら導電性ストライプ相互間には或る特定の距離が空けられている。導電性ストライプ４は、壁３全体を横切って延びていて、図１に示すように長さ方向に切断されている。例示として、５本の導電性ストライプ４が示されており、これら導電性ストライプは、互いに異なる電圧レベルを有している。同様に、例示として、電圧レベル０Ｖ、３Ｖ、６Ｖ、９Ｖ及び１２Ｖが、導電性ストライプ４上に書き込まれており、５本の導電性ストライプ４から成る一まとまりのパッケージに隣接して、電圧レベルが繰り返されるのが良い。かくして、導電性ストライプ４は、壁３全体にわたって、これら５通りの電圧レベルの定期的な繰り返しを有している。導電性ストライプ４は、或る特定のストライプピッチ６で配列されており、かかるストライプピッチは、或る１本のストライプ４とその隣りのストライプ４との間の横方向距離を意味している。ストライプピッチ６は、各導電性ストライプ４相互間で繰り返され、互いに異なるストライプ４によって表された互いに異なる電圧レベル相互間のピッチ６も又、互いに異なっていても良く、壁３全体にわたり、横方向ストライプピッチ６は、或る特定の電圧レベル相互間に等しい場合があるに過ぎない。
【００２６】
電気デバイス２は、２本のピン５を有し、これらピンは、或る特定のピンピッチ７を有している。ピンピッチ７は、或る特定の導電性ストライプに接触し、或る特定のストライプ４相互間の或る特定の電位を把握するために或る特定のストライプピッチ６に一致している。図１の実施形態によれば、３Ｖの電圧がかかった導電性ストライプ４と９Ｖの電圧がかかった導電性ストライプ４は、ピン５によって互いに接触状態にある。これにより、６Ｖのクロス電圧が生じ、ピン５が別のピンピッチ７を備えている場合、例えば、３Ｖ、９Ｖ又は１２Ｖのような互いに異なる電圧レベルが現れる。このことは図１には示されていないが、ストライプピッチ６は、電気デバイス２が壁３上の別の位置にくっつけられている間、ピン５によって互いに異なる電圧電位に接触するために互いに異なる電圧相互間の可変値を有するのが良い。導電性ストライプ４を露出させておくために壁紙は図１には示されていない。ピン５は、導電性ストライプ４中に押し込まれ、電気デバイス２は、例えば、接着効果のある両面フォームによって壁紙（図示せず）にくっつけられている。
【００２７】
図２は、図１の本発明の実施形態を示しており、電気接触システム８は、断面で示されている。壁３は、底部側が断面図で示され、ストライプ４は、壁３上に配置されている。５本のストライプ４が示されており、これらストライプも又、断面で示されている。電気デバイス２と導電性ストライプ４との間には、壁紙１が配置され、壁紙１は、導電性ストライプ４を有し、このことは、導電性ストライプ４を有する壁紙１を単一のコンポーネントとして提供するために導電性ストライプ４が壁紙１によって包囲されていることを意味している。ストライプ４は、ストライプピッチ６を有し、このストライプピッチは、ストライプ４相互間の横方向距離を意味している。ピン５は、導電性ストライプ４に接触し、ピン５は、電気デバイス２の底部側に設けられていて、壁紙１を貫通して２本の導電性ストライプ４内に延びている。導電性ストライプ４中へのピン５のこの穿通原理を利用することにより、電気接触が実現される。その目的は、電気デバイス２を導電性ストライプ４により供給される電圧に接触させることにある。電気デバイス２は、ＯＬＥＤデバイスとして具体化可能であり、このＯＬＥＤデバイスは、光をＯＬＥＤデバイスの頂部側に壁３とは逆の方向に放出する。ＯＬＥＤデバイスは、図２には示されていないフレーム状のコンポーネント内に受け入れられるのが良い。
【００２８】
本発明は、上述の実施形態には限定されず、この実施形態は、例示として示されているに過ぎず、特許請求の範囲に記載された本発明の保護範囲内で種々の仕方で改造できる。かくして、本発明は又、特にＯＬＥＤデバイスの設計及び（又は）壁紙１の構造について異なる実施形態に利用できる。
【図面の簡単な説明】
【００２９】
【図１】電気接触システムの構成の平面図であり、壁紙が取り外されている状態を示す図である。
【図２】図１の電気接触システムの構成の側面図であり、壁及び壁紙が断面で示されている状態を示す図である。
【符号の説明】
【００３０】
１  壁紙
２  電気デバイス
３  壁
４  導電性ストライプ
５  接触ピン
６  ストライプピッチ
７  ピンピッチ
８  接触システム
【図１】
2009536273.tif 000003
【図２】
2009536273.tif 000004
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
壁（３）に、好ましくは建物の任意種類の部屋壁又は天井若しくは床に取付け可能な電気デバイス（２）に接触する壁紙（１）であって、前記壁紙（１）が、複数本の導電性ストライプ（４）を有し、前記電気デバイス（２）が、前記導電性ストライプ（４）に接触するために接触ピン（５）を備える、壁紙において、
前記電気デバイス（２）は、有機発光ダイオード（ＯＬＥＤ）（２）を備え、前記導電性ストライプ（４）は、或る特定のストライプピッチ（６）を備え、前記接触ピン（５）は、或る特定のピンピッチ（７）を備え、互いに異なる前記導電性ストライプ（４）は、前記ＯＬＥＤ（２）を互いに異なる位置に配置することにより上述の或る特定のピッチ（６，７）に基づく導電性ストライプ（４）の接触に起因して生じる接触ピン（５）の接触電圧に整合するために互いに異なる電圧を有する、
ことを特徴とする壁紙（１）。
【請求項２】
前記導電性ストライプ（４）は、前記導電性ストライプ（４）の電気的絶縁するように前記壁（３）と前記壁紙（１）との間にサンドイッチされている、
請求項１記載の壁紙（１）。
【請求項３】
前記導電性ストライプ（４）は、或る特定のステップから選択された電圧レベルを有する、
請求項１又は２記載の壁紙（１）。
【請求項４】
前記導電性ストライプ（４）の前記電圧レベルは、１Ｖ〜１２Ｖ、好ましくは２Ｖ〜６Ｖ、最も好ましくは３Ｖの電圧ステップを有する、
請求項３記載の壁紙（１）。
【請求項５】
前記壁紙（１）の前記導電性ストライプ（４）の材料は、銅材料、アルミニウム、銀、金、又は鋼材料を含む金属導電性材料の群から選択されている、
請求項１ないし４のいずれか１項に記載の壁紙（１）。
【請求項６】
前記導電性ストライプ（４）は、前記壁（３）と前記壁紙（１）との間にサンドイッチされ、前記壁（３）への前記導電性ストライプ（４）の接合及び（又は）前記導電性ストライプ（４）への前記壁紙（１）の接合は、接着によって行われる、
請求項１ないし５のいずれか１項に記載の壁紙（１）。
【請求項７】
壁（３）に取付け可能な有機発光ダイオード（ＯＬＥＤ）（２）として具体化された電気デバイス（２）であって、壁紙（１）が、前記壁（３）上に配置され、前記壁紙（１）が、互いに平行な配置状態で設けられ、或る特定のストライプピッチ（６）を備えた複数本の導電性ストライプ（４）を有し、前記ＯＬＥＤ（２）が、前記導電性ストライプ（４）に接触する少なくとも２本の接触ピン（５）を有し、前記ＯＬＥＤ（２）の前記ピン（５）は、或る特定のピンピッチ（７）を備え、互いに異なる前記導電性ストライプ（４）は、前記ＯＬＥＤ（２）を互いに異なる位置に配置することにより前記或る特定のピッチ（６，７）に基づく導電性ストライプ（４）の接触に起因して生じる接触ピン（５）の接触電圧に整合するために互いに異なる電圧を有する、
ことを特徴とする電気デバイス（２）。
【請求項８】
前記ＯＬＥＤは、前記ＯＬＥＤが利用されている建物の対応の部屋のマーカ及び（又は）イルミネータとして使用できる、
請求項７記載の電気デバイス（２）。
【請求項９】
前記接触ピン（５）は、前記電気デバイス（２）の一方の面上に配置され、前記接触ピン（５）を備えた前記面は、前記壁（３）及び（又は）前記壁紙（１）に衝合する、
請求項７又は８記載の電気デバイス（２）。
【請求項１０】
前記電気デバイス（２）は、前記壁（３）及び（又は）前記壁紙（１）にくっつき可能であるようにするために両面接着フォームを有する、
請求項７ないし９のいずれか１項に記載の電気デバイス（２）。
【請求項１１】
前記接触ピン（５）は、前記電気デバイス（２）を前記壁（３）に取り付けることによって前記導電性ストライプ（４）を穿通するために尖った針状のピンとして構成されている、
請求項７ないし１０のいずれか１項に記載の電気デバイス（２）。
【請求項１２】
前記接触ピンは、前記導電性ストライプ（４）の表面に押し付けられるようにするためにばね押しされている、
請求項７ないし１１のいずれか１項に記載の電気デバイス（２）。
【請求項１３】
壁紙（１）及び有機発光ダイオード（ＯＬＥＤ）（２）として具体化された電気デバイス（２）を有する電気接触システム（８）であって、前記壁紙（１）は、導電性ストライプ（４）を有し、前記ＯＬＥＤ（２）は、少なくとも２本の接触ピン（５）を有し、前記接触ピン（５）は、前記導電性ストライプ（４）中の電流によって前記ＯＬＥＤ（２）に電力を供給するために前記導電性ストライプ（４）に接触するよう配置されている、
ことを特徴とする電気接触システム（８）。
【手続補正２】
【補正対象書類名】明細書
【補正対象項目名】全文
【補正方法】変更
【補正の内容】
【発明の詳細な説明】
【技術分野】
【０００１】
本発明は、壁に、好ましくは建物の任意種類の部屋壁又は天井若しくは床に取付け可能な電気デバイスに接触する壁紙であって、壁紙が、複数本の導電性ストライプを有し、電気デバイスが、導電性ストライプに接触するために接触ピンを備えている壁紙に関する。
【背景技術】
【０００２】
部屋を明るくしたり部屋を照明したりするために壁に取り付けられる電気デバイスへの接触を行うために又はランプ、マーカ又は信号装置として使用される電気デバイスへの接触を行うために、通常、従来型配線によって接触が行われている。配線は、壁紙の下又は壁材料の内側に形成された凹部の内側に配置される。残念なことに、壁上での電気デバイスの位置を変えることはできない。というのは、配線の位置の変更には、多大な労力が必要だからである。特に、現代の部屋では、フレキシブル方式の照明が望ましく、このことは、従来型ランプとして、具体的にはＬＥＤのような半導体デバイスとして具体化できる電気デバイスを単一の壁の内部で又は天井と壁との間で変位させることができるということを意味している。電気デバイスがマーカ又は信号装置として具体化される場合、フレキシブル照明と同様、マーカを照明パネルとして具体化することが望ましい。
【０００３】
壁紙の下に配置された複数本の導電性ストライプを利用し、目に見えず、接触ピンを有する電気デバイスを壁にくっつけることにより接触可能な種々の電気接触システムが既に存在し、この電気接触システムでは、導電性ストライプへの接触のために壁紙を貫通して導電性ストライプ中への穿通が行われる。ストライプは、電気デバイスの容易な接触を行うために壁の表面上に平行な配列状態で設けられる。
【０００４】
仏国特許第２４９６３５０号明細書は、電気又は電子デバイスの長さ全体にわたり目に見える仕方で又は目に見えない仕方で瞬間的な接続を可能にする導体のシースを開示しており、このシースは、プラグが導入される通路を構成する導電性要素をサンドイッチしたＰＶＣ又は他の適当な材料の２枚のシートで構成されている。シースは、結合、接着剤の塗布又は他の固定器具によって間仕切りに固定できる。この結果、電気デバイスを任意の構造体中の任意の支持体上に実装することが可能である。シースにより、ユーザへの電気ショックを回避するための保護手段が得られる。導電性ストライプは、互いに或る特定の距離を置いて配置され、電気デバイスのプラグに接触するブレードは、導電性ストライプと同じ離隔距離を有している。この結果、壁内の任意の場所に取り付けることができるプラグのブレードに接触することが可能である。
【０００５】
国際公開第９９／２８９１７号パンフレットは、表面取付け型の多目的フレキシブルワイヤを開示しており、このワイヤは、全体として互いに平行な関係をなして間隔を置いて設けられた複数本の平べったくて細長い導電性ストライプから成り、これら複数本の平べったい導体の各々は、複数のアルミニウム層から成り、この導体は、高電圧及び低電圧並びに電流を運ぶ能力を有し、絶縁層が、これら複数本の平べったい導体を包囲すると共にこれらを分離しており、平べったい導体及び絶縁層の断面高さは、０．０４インチ（１．０１６ｍｍ）未満である。
【発明の開示】
【発明が解決しようとする課題】
【０００６】
別の電気接触システムが、米国特許第６，１３２，８５９号明細書に開示されている。このシステムは、導電性コアがフォーム絶縁材料の層、特にポリウレタンの層相互間に介在して設けられていて、コアへの集電のために少なくとも１本のピンを備えていて、電流源に接続されたこれらコアによって電気エネルギーが供給される要素、特にランプを支持するサンドイッチパネルに関連しており、絶縁フォーム材料は、少なくともフォーム中に挿入された要素のピンのうちの１本により加えられる最大圧力に等しい弾性しきい値を有している。この電気接触システムでは、電圧を運ぶ層は、互いに上下に配置され、互いに異なる層に接触するピンの構成は、このピンがオーディオシステムのステレオジャグに類似しているので、非常に複雑である。別の欠点は、層が平坦且つ層状に配置され、それにより、同一の電圧が表面全体に加わることにある。
【０００７】
ピンによる穿通を利用した別の電気デバイスが、米国特許第４，８８８，２３２号明細書に記載されている。この特許文献では、好ましくはディスプレイ目的で穿通コネクタを備えた低電圧電気機器に用いられる導電性層ボードが開示されており、この導電性層ボードは、電気的絶縁層に被着された少なくとも１枚の第１の薄い金属、好ましくはアルミニウムの箔を有し、電気的絶縁層は、金属箔を通ってコネクタを電気的絶縁層中に押し込んでこれにより保持されると、金属箔を変形させて折り曲げ、これを電気的絶縁層中に入り込むことができるほど柔軟性のあるプラスチック材料を含み、この結果、コネクタと金属箔との間に広い接触面が保証される。導電性層を接続する原理は、発光ダイオードと関連している場合のあるピンの特定の設計を利用している。ピンは、互いに対して軸方向に配置されると共に絶縁層又はその一部によって互いに分離された第１の電気的接触ループと第２の電気的接触ループを有している。このため、この原理には、層の表面全体にわたって電圧高さが同じになるという同一の欠点がある。互いに異なる電圧高さは、ピンを突き刺すことができる互いに異なる深さによってのみ達成できる。したがって、電気デバイスが層を被着させた壁を横切って互いに異なる位置に配置されている状態で、互いに異なる電圧を電気デバイスに与えることは、可能ではない。
【課題を解決するための手段】
【０００８】
本発明は、上述の欠点を解決することを目的としている。具体的に言えば、本発明の目的は、電気デバイスに接触する壁紙を提供すると共に電気デバイスの種類を特定の発光デバイスとして具体化することにある。この目的は、請求項１記載の本発明の壁紙によって達成される。本発明の好ましい実施形態は、従属形式の請求項に記載されている。また、この目的は、請求項７記載の電気デバイス及び請求項１３記載の電気接触システムによって達成される。本発明の電気デバイスの有利な実施形態は、従属形式の請求項に記載されている。
【０００９】
本発明は、電気デバイスが、有機発光ダイオード（ＯＬＥＤ）から成り、壁紙が、或る特定のストライプピッチを備えた導電性ストライプ及び或る特定のピンピッチを備えた接触ピンを有し、互いに異なる導電性ストライプが、電気デバイスを互いに異なる位置に配置することにより上述の或る特定のピッチに基づく導電性ストライプの接触に起因して生じる接触ピンの接触電圧に整合するために互いに異なる電圧を有することを開示する。
【００１０】
有機発光ダイオード（ＯＬＥＤ）として具体化された電気デバイスを取り付けることにより、壁にプラグ接続可能な発光ダイオードと壁接触方式の有利な組合せが得られる。ストライプ及びピンを或る特定のピッチで配置することにより、２本のピンが常時２つの互いに異なるストライプに接触し、短絡が回避される仕方で整合を行うことができる。電気デバイスが第１の位置に配置されている場合、２本のピンは、或る特定のストライプに接触することができ、各ストライプは、或る特定の電圧高さを有する。電気デバイスをストライプのピッチに対応した距離に関する次の位置に動かすと、別の電圧高さを電気デバイスに提供することができる。このため、電気デバイスを再位置決めしさえすれば、印加される電圧高さを変化させることが可能であり、この再位置決めは、段階的に起こるのが良い。電気デバイスの種類に応じて、放出される色、輝度又は発光強度のような作用効果又は他の作用効果を達成することができる。
【００１１】
本発明の別の実施形態によれば、導電性ストライプは、導電性ストライプの電気的絶縁をもたらすために壁と壁紙との間にサンドイッチされている。壁紙は、導電性ストライプを覆うことができる通常の壁紙又は任意種類のタペストリであって良く、例えば建物のリビングルーム内の壁である場合がある壁の外観は、一般に知られているように見えるが、接触システムは、目に見えない。この結果、ストライプは壁紙の後ろに目に見えないように配置され、ストライプも見えないようになっていて、ユーザはこれに触ることができない。それにより、壁紙は、電気ショックに対する絶縁機能を有する。電気デバイスを壁にくっつけた場合、ピンは、それぞれ壁紙及び導電性ストライプまで延び、このことは、ピンが壁紙を貫通する長さを備えているということを意味する。
【００１２】
本発明の別の実施形態では、互いに隣接して配置された導電性ストライプは、或る特定のステップから選択された電圧レベルを有する。導電性ストライプの電圧レベルは、ストライプごとに３Ｖの段階を有するのが良く、ストライプは、０Ｖ、３Ｖ、６Ｖ、９Ｖ又は１０Ｖをこの連続した順序で有するのが良い。電圧高さに関し、小さな又は大きな増分を有し、１２Ｖよりも高い電圧高さを有する種々の電圧が実現可能である。これら電圧ステップによれば、壁紙内の５つの互いに異なる回路が利用され、互いに異なる電圧を有するストライプは、隣り合って配置され、電圧高さは、５段階で繰り返される。本発明によれば、電気デバイスは、壁にプラグ接続されるＯＬＥＤデバイスとして具体化され、電気接触のためのピンは、不変のピッチを有する。ＯＬＥＤがくっつけられた場合、ピッチは、３本のストライプの距離にわたってオーバーラップする距離から成るのが良い。所要の供給電圧は６Ｖであり、２本の隣り合うストライプ相互間の電圧差が３Ｖの場合、ピンピッチの距離は、２つ分のストライプピッチから成るのが良い。各隣接のストライプが３ボルトの電圧差を有する場合、ストライプの２つ分のピッチにより、６ボルトが得られ、これは、ＯＬＥＤデバイスの所要の供給電圧に整合することができる。例えば、電気デバイスが２本のピンを有し、第１のピンが９Ｖの導電性ストライプの接触し、第２のピンが３Ｖの導電性ストライプに接触する場合、結果として得られるＯＬＥＤデバイスへの供給電圧は、９Ｖ−３Ｖ＝６Ｖである。或いは、第１のピンが６Ｖに接触し、第２のピンが０Ｖに接触する場合、これ又結果として生じるクロス電圧により、６Ｖが得られる。或る特定の電圧距離のこのブリッジ原理は、０Ｖ、３Ｖ、６Ｖ、９Ｖ、１２Ｖ又は互いに異なる電圧を有する各導電性ストライプ相互間に利用できる。
【００１３】
通常、複数枚の壁紙が壁にくっつけられ、この壁紙は、或る特定の幅を備えたレーンから成り、互いに隣接して配置される。電気デバイスと或る特定のストライプピッチの互いに異なる壁紙レーンの或る特定の接触を実現するためには、互いに異なる壁紙レーンのストライプの貫通接触又は隣り合う導電性ストライプの電圧レベルの規定された制御を行うことが必要な場合がある。これは、少なくとも１つの壁全体の電圧供給が得られるよう利用される中央電圧制御ユニットによって実施できる。
【００１４】
導電性ストライプの材料に関し、材料は、銅材料、アルミニウム、銀、金又は鋼材料を含む金属導電性材料の群から選択される。これら材料特性は、電力の損失を最小限に抑えるために高い導電率を示す。広い壁の中では、導電性ストライプは、長い長さを示し、外部電気供給源の電気供給は、一点でのみ、好ましくは、ストライプへの電気供給手段が目に見えない壁の床側縁部又は任意他の縁部のところでのみ起こる。
【００１５】
本発明の別の実施形態によれば、壁への導電性ストライプの接合及び（又は）導電性ストライプへの壁紙の接合は、接着によって行われる。第１の考えられる手段は、ストライプを壁上に接着し、次に、壁紙をストライプ上に接着することである。別の考えられる手段は、導電性ストライプが既に組み込まれた壁紙を作製することであり、このことは、壁紙がストライプを既に有し、壁に接着されればそれで足りるということを意味している。
【００１６】
さらに、本発明は、壁に取付け可能な電気デバイスであって、壁紙が、壁上に配置され、壁紙が、互いに平行な配置状態で設けられていて、或る特定のストライプピッチを備えた複数本の導電性ストライプを有し、電気デバイスが、導電性ストライプに接触する少なくとも２本の接触ピンを有する、電気デバイスにおいて、電気デバイスのピンは、或る特定のピンピッチを備え、互いに異なる導電性ストライプは、電気デバイスを互いに異なる位置に配置することにより上述の或る特定のピッチに基づく導電性ストライプの接触に起因して生じる接触ピンの接触電圧に整合するために互いに異なる電圧を有することを特徴とする電気デバイスに関する。
【００１７】
本発明によれば、電気デバイスは、有機発光ダイオード（ＯＬＥＤ）から成り、ＯＬＥＤは、ＯＬＥＤが利用されている建物の対応の部屋のマーカ及び（又は）イルミネータとして使用できる。有機発光ダイオード（ＯＬＥＤ）は、発光層が有機化合物である種類の発光ダイオードとして実現される薄膜を有する。ＯＬＥＤ技術は、実用的なディスプレイ装置として実施可能である。この結果、部屋の壁上にＯＬＥＤディスプレイを用いることが可能であり、ディスプレイの位置を変えることができる。ＯＬＥＤエミッタの厚さは、極めて小さく（１ｍｍ未満）、ＯＬＥＤそれ自体は、フレーム状本体内に受け入れられ、電気的接触のためのピンは、フレーム状本体内に配置される。ＯＬＥＤデバイスは、薄い箔として実現され、これら薄い箔は、可撓性が極めて高く、５×５ｃｍ又は１２×１２ｃｍ以上のサイズを有するのが良い。互いに異なるサイズのＯＬＥＤは、互いに異なる電圧供給を必要とし、このことは、ＯＬＥＤにＯＬＥＤデバイスのサイズとは独立して正確な電圧を供給するようにするために、必要とされる供給電圧を或る特定のピンピッチにより整合させることができるということを意味している。
【００１８】
互いに異なる電気デバイスに本発明の電気接触システムによって電力供給することができ、電気デバイスとしては、ＯＬＥＤが挙げられる。第１の場合、最大電圧レベルは、制限されず、ユーザに関する電気ショックの恐れという技術背景に対しては、最大電圧レベルは、有利には約５０…６０Ｖによって制限される。電流は、直流（ＤＣ）であっても良く、交流（ＡＣ）であっても良く、或いは、電気システムには、パルス化され、切り替えられ、或いは任意の異なる仕方で変調される電気信号が供給される。
【００１９】
本発明の別の実施形態によれば、接触ピンは、電気デバイスの一方の面上に配置され、接触ピンを備えた面は、壁及び（又は）壁紙にそれぞれ衝合する。有利には、ピンは、通常の電気的接続のための少なくとも２本のピンから成り、ピンは、水平に配置されても良く、垂直に配置されても良く、ピンは又、互いに対して任意の種々の角度をなして配置されても良い。好ましくは、電気デバイスは、水平又は垂直方向にくっつけられるが、ピンが対角線をなして配置されている場合、傾斜位置でも可能である。ピンは、電気デバイスの機能性を守るために本来的に安定したシャーシを提供するフレーム状本体に受け入れられ又はこれに取り付けられるのが良い。
【００２０】
有利には、電気デバイスは、壁及び（又は）壁紙にそれぞれくっつき可能であるようにするために両面接着フォームを有する。両面接着フォームをフォームそれ自体として、或いは、接着テープ、粘着テープ又はグルーのような化合物として提供できる。粘着原理は、電気デバイスを壁に取付け状態に保つと共にピンと導電性ストライプの確実な接触を保証するのに足るほど厳格でなければならない。変形例として、釘又はねじによる締結に係る機械的連結原理を利用しても良い。接着剤が用いられない場合、電気デバイスの機械的締結を行うのに、ピンを押しピンのように壁紙及び導電性ストライプにそれぞれ突き刺すことが可能である。
【００２１】
本発明の別の実施形態によれば、接触ピンは、電気デバイスを壁に取り付けることによって導電性ストライプを穿通するために尖った針状のピンとして構成されている。ピンの先端を尖らせることにより、ピン及び、そして電気デバイスを壁に容易にくっつけることができ、ピンは、釘の機能を果たす。穿通効果は、ピンの尖った先端によって得られ、このことは、ピンを壁紙及び特に金属製導電性ストライプに打ち込むのに必要な押圧力が小さいことを意味する。好ましくは、金属製導電性ストライプは、滑らか且つ穏やかな変形挙動を示すと共に小さな厚さを備え、それにより、ストライプの可撓性が高くなり、ピンは、ストライプ中にめり込み又は押し込み可能である。確実な電気的接触を保証するためには、ピンは、ストライプを貫通すべきであり、ストライプの表面への突き刺しは、十分であるが、必ずしも有効ではない。ピンが溝付きの場合、このピンは、締結効果を達成することができ、このことは、別の締結手段が不要であり、電気デバイスがピンをストライプ中に押し込むだけで壁に締結されることを意味する。
【００２２】
尖った針状のピンの変形例として、接触ピンは、導電性ストライプの表面に押し付けられるようにするためにばね押しされている。ピンを導電性ストライプに押し付けるためにピンに加えられる押圧力は、ばねの中に蓄えられる。というのは、ばねは、電気デバイスを壁にくっつけ、この結果、ピンをばねに押し付けることにより圧縮可能だからである。これにより、導電性ストライプの確実な接触が保証される一方で、壁紙又はタペストリがピンにより既に切り裂かれてピンとストライプとの間における壁紙の絶縁効果が回避されることが保証されなければならない。この接触原理によれば、電気デバイスは、ピンを押し込むだけでは壁に固定されない場合があり、このことは、追加の締結手段が必要であることを意味する。この原理の利点は、導電性ストライプが腐食効果を示す場合に、確実な接触が得られるということにあり、ばね力は、ピンを連続的にストライプの表面に押し付ける。
【００２３】
また、本発明は、壁紙が、導電性ストライプを有し、電気デバイスが、少なくとも２本の接触ピンを有し、接触ピンが、導電性ストライプ中の電流によって電気デバイスに電力を供給するために導電性ストライプに接触するよう配置されている請求項１３記載の電気接触システムに関する。
【００２４】
本発明の目的物の追加の細部、特徴及び利点は、従属形式の請求項に記載されており、例示的に記載されているそれぞれの図についての後で行う説明は、添付の図面を参照して説明する本発明の好ましい実施形態を示している。
【発明を実施するための最良の形態】
【００２５】
図１に示す電気接触システム８は、電気デバイス２を有し、この電気デバイスは、ＯＬＥＤ（２）として具体化されており、単純化されて長方形のボックスとして示されている。電気デバイス２は、頂部層上に位置決めされ、壁３は、底部層のところに配置されている。電気デバイス２と壁３との間には、導電性ストライプ４が配置されている。導電性ストライプ４は、長さ方向に互いに平行に配置され、これら導電性ストライプ相互間には或る特定の距離が空けられている。導電性ストライプ４は、壁３全体を横切って延びていて、図１に示すように長さ方向に切断されている。例示として、５本の導電性ストライプ４が示されており、これら導電性ストライプは、互いに異なる電圧レベルを有している。同様に、例示として、電圧レベル０Ｖ、３Ｖ、６Ｖ、９Ｖ及び１２Ｖが、導電性ストライプ４上に書き込まれており、５本の導電性ストライプ４から成る一まとまりのパッケージに隣接して、電圧レベルが繰り返されるのが良い。この結果、導電性ストライプ４は、壁３全体にわたって、これら５通りの電圧レベルの定期的な繰り返しを有している。導電性ストライプ４は、或る特定のストライプピッチ６で配列されており、このストライプピッチは、或る１本のストライプ４とその隣りのストライプ４との間の横方向距離を意味している。ストライプピッチ６は、各導電性ストライプ４相互間で繰り返され、互いに異なるストライプ４によって表された互いに異なる電圧レベル相互間のピッチ６も又、互いに異なっていても良く、壁３全体にわたり、横方向ストライプピッチ６は、或る特定の電圧レベル相互間に等しい場合があるに過ぎない。
【００２６】
電気デバイス２は、２本のピン５を有し、これらピンは、或る特定のピンピッチ７を有している。ピンピッチ７は、或る特定の導電性ストライプに接触し、或る特定のストライプ４相互間の或る特定の電位を把握するために或る特定のストライプピッチ６に一致している。図１の実施形態によれば、３Ｖの電圧がかかった導電性ストライプ４と９Ｖの電圧がかかった導電性ストライプ４は、ピン５によって互いに接触状態にある。これにより、６Ｖのクロス電圧が生じ、ピン５が別のピンピッチ７を備えている場合、例えば、３Ｖ、９Ｖ又は１２Ｖのような互いに異なる電圧レベルが現れる。このことは図１には示されていないが、ストライプピッチ６は、電気デバイス２が壁３上の別の位置にくっつけられている間、ピン５によって互いに異なる電圧電位に接触するために互いに異なる電圧相互間の可変値を有するのが良い。導電性ストライプ４を露出させておくために壁紙は図１には示されていない。ピン５は、導電性ストライプ４中に押し込まれ、電気デバイス２は、例えば、接着効果のある両面フォームによって壁紙（図示せず）にくっつけられている。
【００２７】
図２は、図１の本発明の実施形態を示しており、電気接触システム８は、断面で示されている。壁３は、底部側が断面図で示され、ストライプ４は、壁３上に配置されている。５本のストライプ４が示されており、これらストライプも又、断面で示されている。電気デバイス２と導電性ストライプ４との間には、壁紙１が配置され、壁紙１は、導電性ストライプ４を有し、このことは、導電性ストライプ４を有する壁紙１を単一のコンポーネントとして提供するために導電性ストライプ４が壁紙１によって包囲されていることを意味している。ストライプ４は、ストライプピッチ６を有し、このストライプピッチは、ストライプ４相互間の横方向距離を意味している。ピン５は、導電性ストライプ４に接触し、ピン５は、電気デバイス２の底部側に設けられていて、壁紙１を貫通して２本の導電性ストライプ４内に延びている。導電性ストライプ４中へのピン５のこの穿通原理を利用することにより、電気接触が実現される。その目的は、電気デバイス２を導電性ストライプ４により供給される電圧に接触させることにある。電気デバイス２は、ＯＬＥＤデバイスとして設計されており、このＯＬＥＤデバイスは、光をＯＬＥＤデバイスの頂部側に壁３とは逆の方向に放出する。ＯＬＥＤデバイスは、図２には示されていないフレーム状のコンポーネント内に受け入れられるのが良い。
【００２８】
本発明は、上述の実施形態には限定されず、この実施形態は、例示として示されているに過ぎず、特許請求の範囲に記載された本発明の保護範囲内で種々の仕方で改造できる。この結果、本発明は又、特に電気デバイスの設計について異なる実施形態に利用できる、この電気デバイスは、例えばＬＥＤ、従来型ランプ等の任意種類の発光デバイスのような電気デバイスならばどのような種類のものであっても良い。
【図面の簡単な説明】
【００２９】
【図１】電気接触システムの構成の平面図であり、壁紙が取り外されている状態を示す図である。
【図２】図１の電気接触システムの構成の側面図であり、壁及び壁紙が断面で示されている状態を示す図である。
【符号の説明】
【００３０】
１  壁紙
２  電気デバイス
３  壁
４  導電性ストライプ
５  接触ピン
６  ストライプピッチ
７  ピンピッチ
８  接触システム
【国際調査報告】
2009536273.tif 000005
2009536273.tif 000006
2009536273.tif 000007